(57)【要約】      （修正有）【課題】アクセスしたいデバイスを容易に選択することができる情報処理装置を提供する。【解決手段】複数のデバイスから発信された信号を受信して、複数のデバイスの関連情報を表示する情報処理装置100に於いて、信号の強度変化量に基づき、複数のデバイスの関連情報の表示形態を決定する決定部203、を備える情報処理装置。【選択図】図２
2015061312.tif 000002
【特許請求の範囲】
【請求項１】
複数のデバイスから発信された信号を受信して、前記複数のデバイスの関連情報を表示する情報処理装置に於いて、
前記信号の強度変化量に基づき、前記複数のデバイスの関連情報の表示形態を決定する決定部、を備える情報処理装置。
【請求項２】
請求項１に記載の情報処理装置に於いて、
前記決定部は、前記複数のデバイスから発信された複数の信号の強度変化量の比較結果に基づき、前記複数のデバイスの関連情報の表示形態を決定する、情報処理装置。
【請求項３】
請求項２に記載の情報処理装置に於いて、
前記決定部は、前記複数の信号の強度を基に決定された前記複数のデバイスの関連情報の表示形態を、前記複数の信号の強度変化量の取得後、前記複数の信号の強度変化量を基に決定された前記複数のデバイスの関連情報の表示形態に変更する、情報処理装置。
【請求項４】
請求項１に記載の情報処理装置に於いて、
前記決定部は、前記複数のデバイスの内、何れかのデバイスから送信され、相互に異なる時刻に取得した複数の信号の強度の差分を、前記信号の強度変化量とする、情報処理装置。
【請求項５】
請求項１に記載の情報処理装置に於いて、
前記決定部は、前記強度変化量に基づき、前記デバイス毎に前記関連情報の表示の有無、表示位置、表示順序、表示サイズ、表示色、表示コントラスト、文字サイズ、文字太さの何れかを決定する、情報処理装置。
【請求項６】
請求項１乃至５の何れかに記載の情報処理装置に於いて、
前記デバイスは、無線信号を発信する無線デバイスであり、
前記決定部は、前記無線信号の強度変化量に基づき、前記複数のデバイスの関連情報の表示形態を決定する、情報処理装置。
【請求項７】
複数のデバイスから発信された信号を受信して、前記複数のデバイスの関連情報を表示する情報処理装置の制御方法に於いて、
前記信号の強度変化量に基づき、前記複数のデバイスの関連情報の表示形態を決定する、制御方法。
【請求項８】
複数のデバイスから発信された信号を受信して、前記複数のデバイスの関連情報を表示する情報処理装置の制御プログラムに於いて、
前記制御プログラムは、前記情報処理装置に、
前記信号の強度変化量に基づき、前記複数のデバイスの関連情報の表示形態を決定させる、制御プログラム。
【発明の詳細な説明】
【技術分野】
【０００１】
開示の技術は、情報処理装置、情報処理装置の制御方法、制御プログラムに関する。
【背景技術】
【０００２】
近年、Ｗｉ−Ｆｉ（登録商標）やＢｌｕｅｔｏｏｔｈ（登録商標）などの無線デバイスの普及に付随して、スキャンにより検出される無線デバイスが増加してきている。例えば、Ｗｉ−ＦｉのアクセスポイントやＢｌｕｅｔｏｏｔｈのデバイスなどの無線デバイスのスキャンを行うと、数十個の無線デバイスが検出されることがある。しかも、無線デバイスのＭＡＣアドレス等がそのまま表示されることもある。
【０００３】
このため、検出された複数の無線デバイスから、ユーザがアクセスしたい無線デバイスを間違いなく選択することは、大変になりつつある。
【０００４】
無線デバイスの提示方法としては、例えば無線デバイスから発信される信号の電界強度を表示する方法が提案されている。
【先行技術文献】
【特許文献】
【０００５】
【特許文献１】特開２０１２−４４６７９号公報
【発明の概要】
【発明が解決しようとする課題】
【０００６】
ところが、無線信号の電界強度は、無線デバイスの出力電力の影響を受ける為、無線信号の電界強度が強くても、無線デバイスがユーザの近くにあるとは限らない。又、ユーザの後ろに無線デバイスが存在していても、無線デバイスがユーザに近ければ、無線信号の電界強度が強くなる為、アクセスしたい無線デバイスに絞り込むことはできない。以上のように、無線信号の電界強度に基づき、アクセスしたい無線デバイスを絞り込むことは困難である。
【０００７】
開示の技術によれば、アクセスしたいデバイスを容易に特定することができる情報処理装置、情報処理装置の制御方法、制御プログラムを提供する。
【課題を解決するための手段】
【０００８】
開示の技術の一観点によれば、複数のデバイスから発信された信号を受信して、前記複数のデバイスの関連情報を表示する情報処理装置に於いて、前記信号の強度変化量に基づき、前記複数のデバイスの関連情報の表示形態を決定する決定部、を備える情報処理装置が提供される。
【発明の効果】
【０００９】
本開示の技術の一観点によれば、アクセスしたいデバイスを容易に選択することができる。
【図面の簡単な説明】
【００１０】
【図１】第１の実施形態にかかる携帯端末のハードウェア構成の概略図である。
【図２】第１の実施形態にかかる携帯端末の機能ブロックの概略図である。
【図３】第１の実施形態にかかる無線デバイスリストの模式図である。
【図４】第１の実施形態にかかる表示優先度更新処理のフローチャートである。
【図５】第１の実施形態にかかるスキャン情報表示処理のフローチャートである。
【図６】第１の実施形態にかかる携帯端末の位置関係の概略図である。
【図７】第１の実施形態にかかる無線デバイスリストの概略図である。
【図８】第１の実施形態にかかるデバイス選択リストの概略図である。
【図９】第１の実施形態の変形例１にかかるデバイス選択リストの概略図である。
【図１０】第１の実施形態の変形例２にかかるデバイス選択リストの概略図である。
【図１１】第１の実施形態の変形例３にかかるデバイス選択リストの概略図である。
【図１２】第１の実施形態の変形例４にかかるデバイス選択リストの概略図である。
【図１３】第２の実施形態にかかる携帯端末の機能ブロックの概略図である。
【図１４】第２の実施形態にかかる表示優先度更新処理のフローチャートである。
【図１５】第３の実施形態にかかる携帯端末の機能ブロックの概略図である。
【図１６】第３の実施形態にかかる表示優先度更新処理のフローチャートである。
【図１７】第４の実施形態にかかる携帯端末の機能ブロックの概略図である。
【図１８】第４の実施形態にかかるメンバーリストの模式図である。
【図１９】第４実施形態にかかるスキャン情報表示処理のフローチャートである。
【図２０】第５の実施形態にかかる携帯端末のハードウェア構成の概略図である。
【図２１】第５の実施形態にかかる携帯端末の機能ブロックの概略図である。
【図２２】第５の実施形態にかかる無線デバイスリストの模式図である。
【図２３】第５の実施形態にかかる表示優先度更新処理のフローチャートである。
【発明を実施するための形態】
【００１１】
以下の実施形態では、携帯端末（情報処理装置）を無線デバイスに接近させたときの、無線デバイスから発信された信号（無線信号）の電界強度の変化量に基づき、ユーザがアクセスしたい無線デバイスを特定する。
【００１２】
即ち、携帯端末を無線デバイスに接近させると、無線デバイスから発信された無線信号の電界強度の、携帯端末による受信強度が変化する。このため、電界強度の変化量に着目すれば、ユーザがどの無線デバイスに携帯端末に接近させたのか、即ちユーザがどの無線デバイスにアクセスしたいのかを特定することができる。従って、以下の実施形態では、電界強度の変化量が最大となる無線信号の発信元の無線デバイスを、携帯端末を接近させた無線デバイス、即ちユーザがアクセスしたい無線デバイスとする。なお、ここでは、電界強度の変化量を使用しているが、変化量は、変化前の電界強度を基準とする変化後の電界強度、即ち変化率を含むものとする。
【００１３】
実施形態の根拠となる理論を説明する。
【００１４】
携帯端末から無線デバイスまでの距離が小さく、無線デバイスから発信された無線信号の反射波の影響を無視できる場合、例えば等方アンテナに電力Ｐを与えたときの、該アンテナ中心から距離Ｄだけ離間した位置での電界強度ＰＤは、以下の数式（１）で表される。
【００１５】
【数１】
2015061312.tif 000003
【００１６】
なお、数式（１）に於いて、Ａは、波長及び利得からなる係数である。利得を変化しないと仮定すると、同じ周波数で通信している場合は、Ａが定数となる。このとき、電界強度ＰＤは、アンテナ中心からの距離Ｄの二乗に反比例する。
【００１７】
ここで、携帯端末から所定方向に距離Ｄ１、Ｄ２（＞Ｄ１）だけ離間した位置に、それぞれ無線デバイス１、２が存在することを想定する。このとき、ユーザが携帯端末を無線デバイス１、２に距離α（＜Ｄ１、Ｄ２）だけ接近させると、携帯端末から無線デバイス１、２までの距離が、それぞれＤ１−α、Ｄ２−αとなる為、数式（１）から以下の数式（２）を導き出すことができる。
【００１８】
【数２】
2015061312.tif 000004
【００１９】
数式（２）によれば、携帯端末を無線デバイスに接近させる場合、無線デバイスが携帯端末から近いほど、そして、携帯端末を無線デバイスに接近させるほど、無線信号の電界強度の変化量が大きくなることがわかる。従って、携帯端末の周りに複数の無線デバイスが存在していても、アクセスしたい無線デバイスに携帯端末を接近させることで、携帯端末は、電界強度の変化量に基づき、携帯端末を接近させた無線デバイスを、複数の無線デバイスから特定することができる。
【００２０】
なお、以下の実施形態では、無線信号の電界強度を用いているが、本発明は、これに限定されるものではない。例えば光デバイスから発信された光信号の強度に基づき、アクセスしたい光デバイスを特定しても良い。
【００２１】
（第１の実施形態）
以下、図１〜図８を参照して、第１の実施形態を説明する。
【００２２】
［携帯端末１００のハードウェア］
図１は、第１の実施形態にかかる携帯端末１００のハードウェア構成の概略図である。本実施形態では、携帯端末１００として、例えばスマートフォンやタブレットＰＣなどの携帯型の携帯端末を想定する。
【００２３】
図１に示すように、携帯端末１００は、ＣＰＵ（Ｃｅｎｔｒａｌ  Ｐｒｏｃｅｓｓｉｎｇ  Ｕｎｉｔ）１０１、メインメモリ１０２、補助メモリ１０３、ディスプレイ１０４、タッチパネル１０５、無線デバイス１０６、をハードウェアモジュールとして備える。これらのハードウェアモジュールは、バス１０７により相互接続されている。
【００２４】
ＣＰＵ１０１は、補助メモリ１０３に格納された各種プログラムをメインメモリ１０２に読み出すとともに、該メインメモリ１０２に読み出した各種プログラムを実行することで、各種機能を実現する。各種機能の詳細は、後述することとする。
【００２５】
メインメモリ１０２は、ＣＰＵ１０１により実行される各種プログラムを格納する。さらに、メインメモリ１０２は、ＣＰＵ１０１のワークエリアとして使用され、ＣＰＵ１０１による処理に必要な各種データを記憶する。メインメモリ１０２としては、例えばＲＡＭ（Ｒａｎｄｏｍ  Ａｃｃｅｓｓ  Ｍｅｍｏｒｙ）などを用いても良い。
【００２６】
補助メモリ１０３は、携帯端末１００を動作させる各種プログラムを格納している。各種プログラムとしては、例えば、携帯端末１００により実行されるアプリケーションプログラムのほか、アプリケーションプログラムの実行環境であるＯＳ（Ｏｐｅｒａｔｉｎｇ  Ｓｙｓｔｅｍ）などがある。本実施形態にかかる制御プログラムも補助メモリ１０３に格納されている。補助メモリ１０３としては、例えば、ハードディスクやフラッシュメモリ等の不揮発メモリを用いても良い。
【００２７】
ディスプレイ１０４は、ＣＰＵ１０１により制御され、携帯端末１００のユーザに視覚情報を提示する。タッチパネル１０５は、ディスプレイ１０４に貼り付けられる。タッチパネル１０５は、ＣＰＵ１０１により制御され、例えば指先やペン先の接触位置を検出する。
【００２８】
無線デバイス１０６は、ＣＰＵ１０１により制御され、例えばＢｌｕｅｔｏｏｔｈやＷｉ−Ｆｉによる各種情報の送受信を実行する。
【００２９】
［携帯端末１００の機能ブロック］
図２は、第１の実施形態にかかる携帯端末１００の機能ブロックの概略図である。
【００３０】
図２に示すように、携帯端末１００は、入力部２０１、スキャン情報表示部２０２、表示優先度更新部（決定部）２０３、無線部２０４、デバイス情報格納部２０５、を備える。
【００３１】
入力部２０１、スキャン情報表示部２０２、表示優先度更新部２０３、無線部２０４、デバイス情報格納部２０５は、何れもＣＰＵ１０１がメインメモリ１０２に制御プログラムを読み込むとともに、該メインメモリ１０２に読み込んだ制御プログラムを実行することで実現される。
【００３２】
入力部２０１は、例えばタッチパネル１０５への入力操作に基づき、表示更新指示を認識して、スキャン情報表示部２０２に通知する。
【００３３】
スキャン情報表示部２０２は、例えば入力部２０１からの表示更新指示をトリガとして、表示優先度更新部２０３からのデバイス表示優先度に基づき、無線デバイスの関連情報を、デバイス選択リストとして、ディスプレイ１０４に表示する。なお、デバイス選択リストは、携帯端末１００にアクセスさせる無線デバイスを、ユーザに指定する為の無線デバイスの一覧である。なお、スキャン情報表示部２０２は、表示優先度更新部２０３と共に、決定部を構成する。
【００３４】
表示優先度更新部２０３は、無線部２０４からの無線信号の電界強度の変化量に基づき、無線デバイスの表示優先度を決定する。具体的には、表示優先度更新部２０３は、無線デバイス毎に、無線デバイスリストＬｄに記録された電界強度と、無線部２０４から取得された電界強度と、に基づき、前回スキャンにより取得された無線信号の電界強度を基準とする、今回スキャンにより取得された無線信号の電界強度の変化量を算出する。続いて、表示優先度更新部２０３は、無線信号の電界強度の変化量に基づき、複数の無線デバイスの表示優先度を決定する。本実施形態では、電界強度の変化量が大きいほど、無線デバイスの表示優先度を上げ、電界強度の変化量が小さいほど、無線デバイスの表示優先度を下げる。
【００３５】
無線部２０４は、無線デバイス１０６からの無線信号に基づき、無線デバイスの関連情報と、無線信号の電界強度（信号強度）と、を取得する。関連情報としては、無線デバイスの識別情報などを含む。
【００３６】
デバイス情報格納部２０５は、無線デバイスリストＬｄを格納する。無線デバイスリストＬｄの詳細は、後述することとする。
【００３７】
［無線デバイスリストＬｄ］
図３は、第１の実施形態にかかる無線デバイスリストＬｄの模式図である。
【００３８】
図３に示すように、無線デバイスリストＬｄは、無線デバイス毎に、電界強度を記録する。電界強度は、無線デバイスから発信され、スキャンにより取得された無線信号の電界強度である。具体的には、本実施形態にかかる無線デバイスリストＬｄの１行目のレコードでは、無線デバイスＡからの無線信号の電界強度として、０．１［μＷ］を記録している。
【００３９】
［表示優先度更新処理］
図４は、第１の実施形態にかかる表示優先度更新処理のフローチャートである。
【００４０】
図４に示すように、表示優先度更新部２０３は、スキャン情報表示部２０２からの表示優先度更新指示をトリガとして、表示優先度更新処理を開始する。
【００４１】
表示優先度更新部２０３は、表示優先度更新処理の開始後、検出中の無線デバイスの関連情報を無線デバイスリストＬｄに記録する（ステップＳ００１）。無線デバイスの関連情報としては、無線デバイスの識別情報と、無線デバイスから発信された無線信号の電界強度と、を含む。例えば、本実施形態にかかる制御プログラムの起動後、最初に表示優先度更新処理が開始された場合、制御プログラムの起動直後に開始される最初のスキャンにより取得された無線デバイスの関連情報を、検出中の無線デバイスの関連情報として、無線デバイスリストＬｄに記録することとなる。
【００４２】
次に、表示優先度更新部２０３は、無線デバイスのスキャンを開始する（ステップＳ００２）。スキャンとは、無線デバイスから発信される無線信号を受信して、無線デバイスの識別情報及び無線信号の電界強度を取得することである。
【００４３】
次に、表示優先度更新部２０３は、無線デバイスのスキャン終了のタイミングかどうかを判断する（ステップＳ００３）。例えば、表示優先度更新部２０３は、無線デバイスのスキャン開始からの経過時間が、事前に決められた更新情報取得時間を超えた場合、もしくは、スキャン情報表示部２０２から表示優先度更新停止指示を受け付けた場合に、無線デバイスのスキャン終了のタイミングと判断しても良い。
【００４４】
ここで、スキャン終了のタイミングと判断された場合（ステップＳ００３のＹｅｓ）、表示優先度更新部２０３は、無線デバイスのスキャンを終了して（ステップＳ００７）、表示優先度更新処理を終了させる。
【００４５】
一方、スキャン終了のタイミングと判断されない場合（ステップＳ００３のＮｏ）、表示優先度更新部２０３は、無線デバイスからの無線信号を受信したかどうかを判断する（ステップＳ００４）。
【００４６】
ここで、無線信号を受信したと判断されない場合（ステップＳ００４のＮｏ）、表示優先度更新部２０３は、再度、無線デバイスのスキャン終了のタイミングかどうかを判断する（ステップＳ００３）。
【００４７】
一方、無線信号を受信したと判断された場合（ステップＳ００４のＹｅｓ）、表示優先度更新部２０３は、前回のスキャンにより取得された無線信号の電界強度、即ち無線デバイスリストＬｄに保存された無線信号の電界強度と、今回のスキャンにより取得された無線信号の電界強度、との比率、即ち電界強度の変化量を算出する（ステップＳ００５）。
【００４８】
次に、表示優先度更新部２０３は、無線信号の電界強度の変化量をスキャン情報表示部２０２に通知する（ステップＳ００６）。スキャン情報表示部２０２は、表示優先度更新部２０３からの電界強度の変化量に基づき、デバイス選択リストを更新することとなる。
【００４９】
次に、表示優先度更新部２０３は、再度、無線デバイスのスキャン終了のタイミングかどうかを判断する（ステップＳ００３）。
【００５０】
以上のように、本実施形態にかかる表示優先度更新部２０３は、無線デバイスからの無線信号の受信毎に、無線信号の電界強度の変化量を算出して、電界強度の変化量をスキャン情報表示部２０２に通知する。
【００５１】
［スキャン情報表示処理］
図５は、第１の実施形態にかかるスキャン情報表示処理のフローチャートである。
【００５２】
図５に示すように、スキャン情報表示部２０２は、スキャン情報表示更新指示をトリガとして、スキャン情報表示処理を開始する。スキャン情報表示更新指示は、例えばユーザの入力操作やタイマの満了をトリガとして、生成される。
【００５３】
なお、スキャン情報表示部２０２は、スキャン情報表示処理の開始前に無線デバイスからの無線信号を受信している場合、検出中の無線デバイスを、デバイス選択リストとして、ディスプレイ１０４に表示する。このとき、デバイス選択リストは、無線デバイスからの無線信号の電界強度に基づき、検出中のデバイスの識別情報を表示しても良い。例えば、無線信号の電界強度が最大となる無線デバイスの識別情報を、デバイス選択リストの最上位として、以下、電界強度が小さくなる順に無線デバイスの識別情報をソートしても良い。
【００５４】
スキャン情報表示部２０２は、スキャン情報表示処理の開始後、表示優先度更新部２０３に表示優先度更新指示を通知する（ステップＳ０１１）。こうして、表示優先度更新部２０３は、スキャン情報表示部２０２からの表示優先度更新指示をトリガとして、表示優先度更新処理を開始することとなる。
【００５５】
次に、スキャン情報表示部２０２は、表示優先度更新処理終了のタイミングかどうかを判断する（ステップＳ０１２）。例えば、スキャン情報表示部２０２は、無線デバイスのスキャン開始からの経過時間が、事前に決められた更新情報取得時間を超えた場合、もしくは、ユーザによる表示優先度更新停止指示を受け付けた場合に、表示優先度更新処理終了のタイミングと判断しても良い。
【００５６】
ここで、表示優先度更新処理終了のタイミングと判断された場合（ステップＳ０１２のＹｅｓ）、スキャン情報表示部２０２は、表示優先度更新停止指示を表示優先度更新部２０３に通知して（ステップＳ０１６）、スキャン情報表示処理を終了する。
【００５７】
一方、表示優先度更新処理終了のタイミングと判断されない場合（ステップＳ０１２のＮｏ）、スキャン情報表示部２０２は、複数の無線デバイスの内、何れかの無線デバイスから発信された無線信号の電界強度の変化量が更新されたかどうかを判断する（ステップＳ０１３）。
【００５８】
ここで、無線信号の電界強度の変化量が更新されたと判断されない場合（ステップＳ０１３のＮｏ）、スキャン情報表示部２０２は、再度、無線デバイス表示優先度更新処理終了のタイミングかどうかを判断する（ステップＳ０１２）。
【００５９】
一方、無線信号の電界強度の変化量が更新されたと判断された場合（ステップＳ０１３のＹｅｓ）、スキャン情報表示部２０２は、更新後の電界強度の変化量、即ち表示優先度更新部２０３からの電界強度の変化量に基づき、無線デバイスの識別情報の表示優先度を決定する（ステップＳ０１４）。例えば、スキャン情報表示部２０２は、更新後の電界強度の変化量の大きい順に表示優先度「１」、「２」、「３」、「４」・・・を割り振る。例えば、電界強度の変化量が最大となる無線デバイスの識別情報には、最高の優先度である表示優先度を割り振り、電界強度の変化量が最小となる無線デバイスの識別情報には、最低の優先度である表示優先度を割り振る。なお、本実施形態では、電界強度の変化量から表示優先度を求めているが、本発明は、これに限定されるものではなく、電界強度の変化量そのものを、表示優先度としても良い。
【００６０】
次に、スキャン情報表示部２０２は、無線デバイスの表示優先度に基づき、デバイス選択リストを更新する（ステップＳ０１５）。このため、スキャン情報表示更新の指示前まで、無線信号の電界強度に基づき、無線デバイスの識別情報が表示されていたとしても、スキャン情報表示更新の実行後、電界強度の変化量に基づき、無線デバイスの識別情報が再表示されることとなる。携帯端末１００のユーザは、ディスプレイ１０４に表示されたデバイス選択リストからアクセスしたい無線デバイスを選択（指定）することとなる。
【００６１】
次に、スキャン情報表示部２０２は、再度、無線デバイス表示優先度更新処理終了のタイミングかどうかを判断する（ステップＳ０１２）。
【００６２】
［無線デバイスのスキャンの操作の流れ］
図６は、第１の実施形態にかかる携帯端末Ｕ及び無線デバイスＡ、Ｂ、Ｃ、Ｄの位置関係の概略図である。図７は、第１の実施形態にかかる無線デバイスリストＬｄの概略図である。図８は、第１の実施形態にかかるデバイス選択リストの概略図である。
【００６３】
なお、図６中の符号Ａ、Ｂ、Ｃ、Ｄは、無線デバイスの識別符号、符号Ｕは、ユーザが操作する携帯端末の識別符号である。携帯端末Ｕは、本実施形態にかかる携帯端末１００と同等の構成及び機能を有する。
【００６４】
先ず、ユーザは、図６に示すように、自身の携帯端末Ｕを矢印方向に移動させる。これにより、無線デバイスＡ、Ｃは、携帯端末Ｕからの距離が小さくなり、無線デバイスＢは、携帯端末Ｕからの距離が大きくなる。一方、無線デバイスＤは、携帯端末Ｕの移動方向からはずれている為、携帯端末Ｕからの距離は、ほとんど変化しない。
【００６５】
次に、ユーザは、携帯端末Ｕの移動先でタッチパネル１０５を操作して、スキャン情報表示更新指示を実行する。これにより、携帯端末Ｕの表示優先度更新部２０３は、表示優先度更新処理を開始して、図７に示すように、携帯端末Ｕの無線デバイスリストＬｄを更新するとともに、それぞれの無線デバイスから発信された無線信号の電界強度の変化量を算出する。
【００６６】
ここで、無線信号の電界強度の変化量に着目すると、携帯端末Ｕからの距離が小さくなる無線デバイスＡ、Ｃの内、携帯端末Ｕに近いところにある無線デバイスＡからの無線信号の電界強度の変化量は最大となり、携帯端末Ｕから遠いところにある無線デバイスＣからの無線信号の電界強度の変化量は２番目に大きくなっている。一方、携帯端末Ｕからの距離がほとんど変化しない無線デバイスＤからの無線信号の電界強度の変化量は、ほとんど変化していない。又、携帯端末Ｕからの距離が大きくなる無線デバイスＢからの無線信号の電界強度の変化量は、最小となっている。即ち、電界強度の変化量が大きい方から順に、無線デバイスＡ、無線デバイスＣ、無線デバイスＤ、無線デバイスＢの無線デバイスとなる。
【００６７】
このため、携帯情報端末Ｕのスキャン情報表示部２０２は、表示優先度更新部２０３からの電界強度の変化量に基づき、無線デバイスＡの表示優先度を１位（最高優先度）、無線デバイスＣの表示優先度を２位、無線デバイスＤの表示優先度を３位、無線デバイスＢの表示優先度を４位（最低優先度）とする。
【００６８】
これにより、携帯情報端末Ｕのスキャン情報表示部２０２は、図８に示すように、表示優先度が上位の携帯端末を、ユーザが探索しやすい位置、本実施形態では、デバイス選択リストの上側に表示する。
【００６９】
よって、携帯端末Ｕのユーザは、複数の無線デバイスの識別情報が表示されたデバイス選択リストから、ユーザがアクセスしたい無線デバイスの識別情報、即ちユーザが携帯端末Ｕを近づけた無線デバイスの識別情報を簡単に見つけることができる。
【００７０】
以上のように、本実施形態によれば、ユーザがアクセスしたい無線デバイスに、自身の携帯端末１００を接近させるだけで、アクセスしたい無線デバイスの識別情報を優先的に、携帯端末１００に表示させることができる。このため、ユーザ周辺に複数の無線デバイスが存在していても、所望の無線デバイスを簡単に選択することができる。
【００７１】
なお、本実施形態にかかるスキャン情報表示部２０２は、無線デバイスの表示優先度に基づき、デバイス選択リストに表示される無線デバイスの識別情報の順番を変えることで、アクセスしたい無線デバイスの識別情報を、ユーザが選択しやすくしていた。しかし、本実施形態は、これに限定されるものではない。例えば、以下の変形例１〜３にかかるデバイス選択リストのように、種々の表示形態を使用することができる。
【００７２】
（変形例１）
図９は、第１の実施形態の変形例１にかかるデバイス選択リストの概略図である。
【００７３】
本変形例１にかかるスキャン情報表示部２０２は、アクセスしたい無線デバイスではないと推測される無線デバイスの識別情報の、デバイス選択リストへの表示を省略する。例えば、無線信号の電界強度の変化量が１［ｄＢ］以下の無線デバイスは、アクセスしたい無線デバイスでないと推測される為、本変形例１にかかるスキャン情報表示部２０２は、デバイス選択リストへの表示を省略する。このため、本変形例１では、図９に示すように、無線デバイスＡ、Ｃだけがデバイス選択リストに表示される。これにより、ユーザは、アクセスしたい無線デバイスを、より簡単に選択することができる。
【００７４】
（変形例２）
図１０は、第１の実施形態の変形例２にかかるデバイス選択リストの概略図である。
【００７５】
本変形例２にかかるスキャン情報表示部２０２は、変形例１にかかる無線デバイスの選択表示だけでなく、さらに、アクセスしたい無線デバイスと推測される無線デバイスの識別情報の表示サイズを、無線信号の電界強度の変化量に基づき、拡大する。本変形例２では、図１０に示すように、無線信号の電界強度の変化量が最大である無線デバイスＡの識別情報の表示サイズを、無線デバイスＣの識別情報の表示サイズよりも大きくしている。これにより、ユーザは、アクセスしたい無線デバイスを、より簡単に選択することができる。
【００７６】
（変形例３）
図１１は、第１の実施形態の変形例３にかかるデバイス選択リストの概略図である。
【００７７】
本変形例３にかかるスキャン情報表示部２０２は、アクセスしたい無線デバイスと推測される無線デバイスの識別番号の表示色と、アクセスしたい無線デバイスではないと推測される無線デバイスの識別番号の表示色と、を切り替えている。本変形例３では、図１１に示すように、電界強度の変化量が１［ｄＢ］を超える無線デバイスを、アクセスしたい無線デバイスとする為、無線デバイスＡ、Ｃの識別情報の表示色と、電界強度の変化量１［ｄＢ］以下の無線デバイスＢ、Ｄの表示色と、を切り替えている。なお、ここでは、ハッチングの違いで表示色の違いを表現している。表示色の違いの代わりに、表示の濃淡（コントラスト）を用いても良い。
【００７８】
（変形例４）
図１２は、第１の実施形態の変形例４にかかるデバイス選択リストの概略図である。
【００７９】
本変形例４にかかるスキャン情報表示部２０２は、アクセスしたい無線デバイスと推測される無線デバイスの識別番号の文字サイズを拡大・強調表示する。一方、アクセスしたい無線デバイスではないと推測される無線デバイスの識別番号の文字サイズを縮小・細線表示する。本変形例４では、図１２に示すように、電界強度の変化量が１［ｄＢ］を超える無線デバイスを、アクセスしたい無線デバイスとする為、無線デバイスＡ、Ｃの識別情報の文字列を拡大・強調表示し、電界強度の変化量１［ｄＢ］以下の無線デバイスＢ、Ｄの識別情報の文字列を縮小・細線表示している。
【００８０】
（第２の実施形態）
以下、図１３、図１４を参照して、第２の実施形態を説明する。但し、第１の実施形態と同等の構成、機能、作用については、説明を省略することとする。
【００８１】
第１の実施形態では、無線信号の電界強度の変化量に基づき、デバイス選択リストの表示形態を決定していた。しかし、表示優先度更新処理の最中に、ユーザが携帯端末１００を動かさない場合、無線デバイスからの無線信号の電界強度の変化量は、何れも非常に小さくなる。このため、例えば変形例２を適用する場合、即ち電界強度の変化量がしきい値以上である無線デバイスだけを選択的にデバイス選択リストの表示させる場合、無線デバイスの識別情報すべてがデバイス選択リストから消失してしまい、ユーザを混乱させることになる。
【００８２】
これに対し、第２の実施形態では、無線信号の電界強度の変化量が、事前に決められたしきい値以上となったときに、無線信号の電界強度の変化量をスキャン情報表示部２０２に通知する。このため、スキャン情報表示部２０２は、無線信号の電界強度の変化量がしきい値以上とならない限り、それ以前のデバイス選択リストを表示する為、ユーザを混乱させることがない。
【００８３】
［携帯端末１００Ａの機能ブロック］
図１３は、第２の実施形態にかかる携帯端末１００Ａの機能ブロックの概略図である。
【００８４】
図１３に示すように、本実施形態にかかる携帯端末１００Ａは、第１の実施形態にかかる表示優先度更新部２０３の代わりに、表示優先度更新部２０６を備える。
【００８５】
表示優先度更新部２０６は、何れもＣＰＵ１０１がメインメモリ１０２に制御プログラムを読み込むとともに、該メインメモリ１０２に読み込んだ制御プログラムを実行することで実現される。
【００８６】
表示優先度更新部２０６は、無線信号の電界強度の変化量が、事前に決められたしきい値以上であるときだけ、電界強度の変化量をスキャン情報表示部２０２に通知する。表示優先度更新部２０６は、スキャン情報表示部２０２と共に、決定部を構成する。
【００８７】
［表示優先度更新処理］
図１４は、第２の実施形態にかかる表示優先度更新処理のフローチャートである。
【００８８】
図１４に示すように、表示優先度更新部２０６は、無線信号の電界強度の変化量の算出後（ステップＳ００５）、無線信号の電界強度の変化量が、事前に決められたしきい値以上であるかどうかを判断する（ステップＳ０２１）。
【００８９】
ここで、電界強度の変化量がしきい値以上であると判断されない場合（ステップＳ０２１のＮｏ）、表示優先度更新部２０６は、無線デバイスのスキャン終了のタイミングかどうかを判断する（ステップＳ００３）。
【００９０】
一方、電界強度の変化量がしきい値以上であると判断された場合（ステップＳ０２１のＹｅｓ）、表示優先度更新部２０６は、無線信号の電界強度の変化量をスキャン情報表示部２０２に通知する（ステップＳ００６）。スキャン情報表示部２０２は、表示優先度更新部２０６からの電界強度の変化量に基づき、デバイス選択リストの表示形態を更新することとなる。
【００９１】
以上のように、本実施形態によれば、電界強度の変化量がしきい値以上であると判断された場合だけ、デバイス選択リストを更新する。このため、表示優先度更新処理の最中に、ユーザが携帯端末１００Ａを動かさなくても、無線デバイスの識別情報すべてがデバイス選択リストから消失することがない。
【００９２】
（第３の実施形態）
以下、図１５、図１６を参照して、第３の実施形態を説明する。但し、第１の実施形態と同等の構成、機能、作用については、説明を省略することとする。
【００９３】
第３の実施形態では、複数の無線信号の電界強度の変化量の内、最大の電界強度の変化量を基準とする、それぞれの無線デバイスからの無線信号の電界強度の変化量の比率に基づき、デバイス選択リストの更新の可否を決定する。
【００９４】
［携帯端末１００Ｂの機能ブロック］
図１５は、第３の実施形態にかかる携帯端末１００Ｂの機能ブロックの概略図である。
【００９５】
図１５に示すように、本実施形態にかかる携帯端末１００Ｂは、第１の実施形態にかかる表示優先度更新部２０３及びスキャン情報表示部２０２の代わりに、表示優先度更新部２１２及びスキャン情報表示部２１３を備え、第１の実施形態にかかる携帯端末１００に対して、さらに変化量情報保存部２０７を備える。
【００９６】
表示優先度更新部２１２、スキャン情報表示部２１３、変化量情報保存部２０７は、何れもＣＰＵ１０１がメインメモリ１０２に制御プログラムを読み込むとともに、該メインメモリ１０２に読み込んだ制御プログラムを実行することで実現される。
【００９７】
表示優先度更新部２１２は、無線信号の電界強度の変化量が、事前に決められたしきい値以上であるときだけ、電界強度の変化量をスキャン情報表示部２０２に通知する。表示優先度更新処理の開始後に検出された無線デバイスの内、無線信号の電界強度の変化量が最大となる無線デバイスを特定して、最大の電界強度の変化量を変化量情報保存部２０７に保存する。さらに、表示優先度更新部２１２は、変化量情報保存部２０７に保存された無線信号の電界強度の変化量と、それぞれの無線デバイスから発信された無線信号の電界強度の変化量と、の比率を算出する。表示優先度更新部２１２は、スキャン情報表示部２０２と共に、決定部を構成する。
【００９８】
スキャン情報表示部２１３は、表示優先度更新部２１２からの無線信号の電界強度の変化量の比率に基づき、デバイス選択リストを更新するかどうかを判断する。電界強度の変化量の比率が、事前に決められたしきい値未満である場合、表示優先度更新部２１２から電界強度の変化量を受信しても、デバイス選択リストを更新することはない。
【００９９】
変化量情報保存部２０７は、表示優先度更新処理の開始後に検出された無線信号の電界強度の変化量の内、最大の電界強度の変化量を保存する。
【０１００】
［表示優先度更新処理］
図１６は、第３の実施形態にかかる表示優先度更新処理のフローチャートである。
【０１０１】
図１６に示すように、表示優先度更新部２１２は、無線信号の電界強度の変化量の算出後（ステップＳ００５）、表示優先度更新処理の開始後に検出された無線デバイスの内、無線信号の電界強度の変化量が最大となる無線デバイスを特定して、最大の電界強度の変化量を変化量情報保存部２０７に保存する（ステップＳ０５１）。
【０１０２】
次に、表示優先度更新部２１２は、変化量情報保存部２０７に保存された、最大の電界強度の変化量を基準とする、それぞれの無線デバイスからの無線信号の電界強度の変化量の比率を算出する（ステップＳ０５２）。具体的には、表示優先度更新部２１２は、以下の数式（３）を使用して、電界強度の変化量の比率を算出する。
【０１０３】
【数３】
2015061312.tif 000005
【０１０４】
なお、数式（３）に於いて、Ｐｍａｘは、最大の電界強度の変化量、Ｐｄｅｖは、それぞれの無線デバイスの電界強度の変化量である。
【０１０５】
表示優先度更新処理の最中に、ユーザが携帯端末１００Ｂを動かさない場合、数式（３）の分母となる、最大の電界強度の変化量が小さくなる。このため、数式（３）の分子となる、それぞれの無線デバイスからの無線信号の電界強度の変化量が小さくても、電界強度の変化量の比率が極端に小さくなることはない。ユーザが携帯端末１００Ｂを無線デバイスに接近させる場合、携帯端末１００Ｂを接近させた無線デバイスからの無線信号の電界強度の変化量が大きくなるが、携帯端末１００Ｂを接近させていない無線デバイスからの無線信号の電界強度の変化量は、小さいままである為、電界強度の変化量の比率は、小さくなる。
【０１０６】
次に、表示優先度更新部２１２は、電界強度の変化量の比率をスキャン情報表示部２１３に通知する（ステップＳ０５３）。スキャン情報表示部２１３は、表示優先度更新部２１２からの電界強度の変化量の比率を受信したときのみ、デバイス選択リストを更新することとなる。
【０１０７】
次に、表示優先度更新部２１２は、それぞれの無線デバイスからの無線信号の電界強度の変化量と最大の電界強度の変化量の比率が、事前に決められたしきい値以上であるかどうか判断する（ステップＳ０５４）。
【０１０８】
ここで、電界強度の変化量の比率がしきい値以上であると判断されない場合（ステップＳ０５４のＮｏ）表示優先度更新部２１２は、無線デバイスのスキャン終了のタイミングかどうかを判断する（ステップＳ００３）。
【０１０９】
一方、電界強度の変化量の比率がしきい値以上であると判断された場合（ステップＳ０５４のＹｅｓ）、表示優先度更新部２１２は、電界強度の変化量の比率がしきい値以上であると判断された無線デバイスの識別情報の表示優先度をスキャン情報表示部２０２に通知する（ステップＳ００６）。スキャン情報表示部２１３は、表示優先度更新部２１２からの電界強度の変化量の比率を既に受信している場合、表示優先度更新部２１２からの無線デバイスの識別情報の表示優先度に基づき、デバイス選択リストを更新することとなる。
【０１１０】
以上のように、本実施形態によれば、最大の無線信号の電界強度の変化量を基準とする、それぞれの無線信号の電界強度の変化量の比率がしきい値未満とならない限り、無線デバイスの識別情報の表示を維持することとする。このため、ユーザが携帯端末１００Ｂを動かさないことで、全ての無線デバイスの識別情報が表示されない事態を回避することができる。
【０１１１】
（第４の実施形態）
以下、図１７−図１９を参照して、第４の実施形態を説明する。但し、第１の実施形態と同等の構成、機能、作用については、説明を省略することとする。
【０１１２】
第１の実施形態では、無線デバイスの識別情報だけをデバイス選択リストに表示していた。これに対し、第４の実施形態では、無線デバイスが所属するグループの識別情報もデバイス選択リストに表示する。
【０１１３】
［携帯端末１００Ｃの機能ブロック］
図１７は、第４の実施形態にかかる携帯端末１００Ｃの機能ブロックの概略図である。
【０１１４】
図１７に示すように、本実施形態にかかる携帯端末１００Ｃは、第１の実施形態にかかるスキャン情報表示部２０２の代わりに、スキャン情報表示部２０８を備え、第１の実施形態にかかる携帯端末１００に対して、さらにグループ情報格納部２０９を備える。
【０１１５】
スキャン情報表示部２０８、グループ情報格納部２０９は、何れもＣＰＵ１０１がメインメモリ１０２に制御プログラムを読み込むとともに、該メインメモリ１０２に読み込んだ制御プログラムを実行することで実現される。スキャン情報表示部２０８は、表示優先度更新部２０３と共に、決定部を構成する。
【０１１６】
スキャン情報表示部２０８は、電界強度の変化量が更新された無線デバイスのグループ情報を取得して、グループ毎に無線信号の電界強度の変化量のメンバー平均を算出する。さらに、スキャン情報表示部２０８は、表示優先度更新部２０３からの電界強度の変化量と、グループ毎に算出された電界強度の変化量のメンバー平均と、に基づき、デバイス選択リストに表示する無線デバイス及びグループの表示形態を決定する。
【０１１７】
グループ情報格納部２０９は、メンバーリストＬｍを格納する。メンバーリストＬｍの詳細は、後述することとする。
【０１１８】
［メンバーリストＬｍ］
図１８は、第４の実施形態にかかるメンバーリストＬｍの模式図である。
【０１１９】
図１８に示すように、メンバーリストＬｍは、グループ毎に、該グループに所属するメンバーを記憶する。具体的には、本実施形態にかかるメンバーリストＬｍの１行目には、グループ１のメンバーとして、無線デバイスＡ、Ｂが記録されている。なお、無線デバイスは、複数のグループに所属することもある。例えば無線デバイスＡは、グループ１、２４に所属している。
【０１２０】
［スキャン情報表示処理］
図１９は、第４実施形態にかかるスキャン情報表示処理のフローチャートである。
【０１２１】
図１９に示すように、電界強度の変化量が更新されたと判断された場合（ステップＳ０１３のＹｅｓ）、スキャン情報表示部２０８は、グループ情報格納部２０９からメンバーリストＬｍを取得する（ステップＳ０３１）。
【０１２２】
次に、スキャン情報表示部２０８は、メンバーリストＬｍに基づき、電界強度の変化量が更新された無線信号の発信元の無線デバイスが、何れかのグループに所属しているかどうかを判断する（ステップＳ０３２）。
【０１２３】
ここで、無線デバイスが何れかのグループに所属していると判断されない場合（ステップＳ０３２のＮｏ）、スキャン情報表示部２０８は、表示優先度更新部２０３からの電界強度の変化量に基づき、無線デバイスの識別情報の表示優先度を決定する（ステップＳ０３６）
一方、無線デバイスが何れかのグループに所属していると判断された場合（ステップＳ０３２のＹｅｓ）、スキャン情報表示部２０８は、電界強度の変化量が更新された無線信号の発信元の無線デバイスが所属するグループ毎に、電界強度の変化量のメンバー平均、即ちグループに所属する無線デバイスの電界強度の変化量の平均値を算出する（ステップＳ０３３）。
【０１２４】
次に、電界強度の変化量のメンバー平均が、事前に決められたしきい値以上であるかどうかを判断する（ステップＳ０３４）。
【０１２５】
ここで、電界強度の変化量のメンバー平均がしきい値以上であると判断されない場合（ステップＳ０３４のＮｏ）、スキャン情報表示部２０８は、表示優先度更新部２０３からの電界強度の変化量に基づき、無線デバイスの識別情報の表示優先度を決定する（ステップＳ０３６）。
【０１２６】
一方、電界強度の変化量のメンバー平均がしきい値以上であると判断された場合（ステップＳ０３４のＹｅｓ）、スキャン情報表示部２０８は、電界強度の変化量のメンバー平均に基づき、グループの表示優先度を決定する（ステップＳ０３５）。例えば、アクセスしたい無線デバイスが複数のグループに所属している場合、電界強度の変化量のメンバー平均が大きいグループの表示優先度を高める。電界強度の変化量のメンバー平均が大きいグループほど、ユーザがアクセスしたいグループと推測されるからである。
【０１２７】
次に、スキャン情報表示部２０８は、表示優先度更新部２０３からの電界強度の変化量に基づき、無線デバイスの表示優先度を決定する（ステップＳ０３６）。
【０１２８】
次に、スキャン情報表示部２０８は、無線デバイスの表示優先度と、グループの表示優先度と、に基づき、デバイス選択リストを更新する（ステップＳ０３７）。但し、グループの表示優先度が決定されていない場合、スキャン情報表示部２０８は、無線デバイスの表示優先度に基づき、デバイス選択リストを更新することとなる。
【０１２９】
以上のように、本実施形態によれば、無線デバイスが所属するグループのメンバーである無線デバイスからの無線信号の電界強度の変化量のメンバー平均がしきい値以上である場合、無線デバイスの識別情報だけでなく、グループの識別情報もデバイス選択リストに表示する。このため、グループのメンバーである無線デバイスすべてを一括で選択することができる。
【０１３０】
さらに、本実施形態によれば、グループ毎の無線信号の電界強度の変化量のメンバー平均に基づき、グループの表示形態を決定する。このため、無線デバイスが複数のグループに所属していても、電界強度の変化量のメンバー平均が最大となるグループ、即ち本当にユーザがアクセスしたいグループをユーザに知らせることができる。
【０１３１】
（第５の実施形態）
以下、図２０−図２３を参照して、第５の実施形態を説明する。但し、第１の実施形態と同等の構成、機能、作用については、説明を省略することとする。
【０１３２】
第１の実施形態では、前回のスキャンにより検出された無線信号の電界強度と、今回のスキャンにより検出された無線信号の電界強度と、に基づき、無線信号の電界強度の変化量を算出していた。これに対し、第５の実施形態では、スキャン中に何度も無線信号を受信する場合を想定して、例えば直近の所定時間内に検出された無線信号の電界強度と、最新（現在）の無線信号の電界強度と、に基づき、無線信号の電界強度の変化量を計算する。
【０１３３】
［携帯端末１００Ｄのハードウェア］
図２０は、第５の実施形態にかかる携帯端末１００Ｄのハードウェア構成の概略図である。
【０１３４】
図２０に示すように、第５の実施形態にかかる携帯端末１００Ｄは、第１の実施形態に対して、さらにタイマ１０８を備える。タイマ１０８は、他のハードウェアモジュールにバス１０７により相互接続されている。
【０１３５】
［携帯端末１００Ｄの機能ブロック］
図２１は、第５の実施形態にかかる携帯端末１００Ｄの機能ブロックの概略図である。
【０１３６】
図２１に示すように、第５の実施形態にかかる携帯端末１００Ｄは、第１の実施形態にかかる表示優先度更新部２０３の代わりに、表示優先度更新部２１０を備え、デバイス情報格納部２０９の代わりに、デバイス情報格納部２１１を備える。
【０１３７】
表示優先度更新部２１０、デバイス情報格納部２１１は、ＣＰＵ１０１がメインメモリ１０２に制御プログラムを読み込むとともに、該メインメモリ１０２に読み込んだ制御プログラムを実行することで実現される。
【０１３８】
表示優先度更新部２１０は、デバイス情報格納部２１１に格納された無線デバイスリストＬｄｍと、タイマ１０８からの時刻情報と、に基づき、無線デバイスの表示優先度を決定する。表示優先度更新部２１０は、スキャン情報表示部２０２と共に、決定部を構成する。
【０１３９】
デバイス情報格納部２１１は、無線デバイスリストＬｄｍを格納する。無線デバイスリストＬｄｍの詳細は、後述することとする。
【０１４０】
［無線デバイスリストＬｄｍ］
図２２は、第５の実施形態にかかる無線デバイスリストＬｄｍの模式図である。
【０１４１】
図２２に示すように、本実施形態にかかる無線デバイスリストＬｄｍは、無線デバイス毎に、取得時刻の異なる複数の電界強度を記録している。例えば、本実施形態にかかる無線デバイスリストＬｄｍの１行目のレコードでは、無線デバイスＡからの無線信号の電界強度として、取得時刻１［ｓｅｃ］、２［ｓｅｃ］、３［ｓｅｃ］、４［ｓｅｃ］、５［ｓｅｃ］毎に、電界強度０．２［μＷ］、０．２１［μＷ］、０．２１［μＷ］、０．２１［μＷ］、０．２５［μＷ］が記録されている。
【０１４２】
［表示優先度更新処理］
図２３は、第５の実施形態にかかる表示優先度更新処理のフローチャートである。
【０１４３】
図２３に示すように、無線信号を受信したと判断した場合（ステップＳ００４のＹｅｓ）、表示優先度更新部２１０は、無線デバイスリストＬｄｍに記録されている直近５秒以内の無線信号の電界強度の内、最小の電界強度と、最新の電界強度と、に基づき、無線信号の電界強度の変化量を算出する（ステップＳ０４１）。
【０１４４】
次に、表示優先度更新部２１０は、無線信号の電界強度の変化量をスキャン情報表示部２０２に通知する（ステップＳ００６）。
【０１４５】
以上のように、本実施形態によれば、前回のスキャンにより取得された無線信号の電界強度の代わりに、過去５秒以内の無線信号の電界強度の内、最小の電界強度に基づき、無線信号の電界強度の変化量を算出している。このため、アクセスしたい無線デバイス、即ち携帯端末１００Ｄを接近させた無線デバイスを、ユーザ動作のブレなどの影響を受けることなく、より確実に特定することができる。
【０１４６】
以上の実施形態では、無線デバイスからの無線信号の電界強度の変化量に着目していたが、無線デバイスとして、例えば、無線ＬＡＮ（Ｌｏｃａｌ  Ａｒｅａ  Ｎｅｔｗｏｒｋ）のアクセスポイント、もしくはＢｌｕｅｔｏｏｔｈデバイスなどを使用しても良い。
【０１４７】
無線デバイスをアクセスポイントとする場合、携帯端末１００に搭載される無線デバイス１０６をＷｉ−Ｆｉモジュールとし、無線デバイスリストＬｄに、アクセスポイント毎のＳＳＩＤ（Ｓｅｒｖｉｃｅ  Ｓｅｔ  Ｉｄｅｎｔｉｆｉｅｒ）及びＲＳＳＩ（Ｒｅｃｅｉｖｅｄ Ｓｉｇｎａｌ Ｓｔｒｅｎｇｔｈ Ｉｎｄｉｃａｔｉｏｎ）を記録することとなる。なお、ＳＳＩＤは、無線デバイスの識別情報に、ＲＳＳＩは、無線信号の電界強度の変化量に、それぞれ相当する。
【０１４８】
無線デバイスをＢｌｕｅｔｏｏｔｈデバイスとする場合、携帯端末１００に搭載される無線デバイス１０６もＢｌｕｅｔｏｏｔｈデバイスとし、無線デバイスリストＬｄに、Ｂｌｕｅｔｏｏｔｈデバイス毎のＳＳＩＤ及びＲＳＳＩを記録することとなる。
【符号の説明】
【０１４９】
１００：携帯端末
１００Ａ： 携帯端末
１００Ｂ：携帯端末
１００Ｃ：携帯端末
１００Ｄ：携帯端末
２０２：スキャン情報表示部
２０３：表示優先度更新部
２０６：表示優先度更新部
２０７：変化量情報保存部
２０８：スキャン情報表示部
２１０：表示優先度更新部
２１２：表示優先度更新部
２１３：スキャン情報表示部
【図１】
2015061312.tif 000006
【図２】
2015061312.tif 000007
【図３】
2015061312.tif 000008
【図４】
2015061312.tif 000009
【図５】
2015061312.tif 000010
【図６】
2015061312.tif 000011
【図７】
2015061312.tif 000012
【図８】
2015061312.tif 000013
【図９】
2015061312.tif 000014
【図１０】
2015061312.tif 000015
【図１１】
2015061312.tif 000016
【図１２】
2015061312.tif 000017
【図１３】
2015061312.tif 000018
【図１４】
2015061312.tif 000019
【図１５】
2015061312.tif 000020
【図１６】
2015061312.tif 000021
【図１７】
2015061312.tif 000022
【図１８】
2015061312.tif 000023
【図１９】
2015061312.tif 000024
【図２０】
2015061312.tif 000025
【図２１】
2015061312.tif 000026
【図２２】
2015061312.tif 000027
【図２３】
2015061312.tif 000028